(57)【要約】【課題】収納時にレンズカバーの抜け止めを固定筒で行うとともに異物の鏡筒内部への侵入を防止する。また、衝撃によりレンズカバーが脱落するのを防止する。【解決手段】レンズと、レンズを保持するレンズ保持筒と、レンズを保護する保護カバーと、レンズ保持筒の径方向の内方に配置され、レンズ保持筒を直進ガイドする固定筒とを具備し、レンズ保持筒の内径側には開口溝と爪部が設けられ、保護カバーにはスナップフィット部が一体的に設けられ、スナップフィット部を開口溝に挿入した後、爪部に当接させることでレンズ保持筒に保護カバーを固定し、固定筒には、スナップフィット部が保護カバーへの組込時に変形する領域において径方向でオーバーラップするように構成されたカバー脱落防止部が設けられ、カバー脱落防止部は開口溝に挿入されている。【選択図】  図１
2016114868.tif 000002
【特許請求の範囲】
【請求項１】
レンズと、
前記レンズを保持するレンズ保持筒と、
前記レンズを保護する保護カバーと、
前記レンズ保持筒の径方向の内方に配置され、前記レンズ保持筒を直進ガイドする固定筒と、を具備する撮影レンズ鏡筒であって、
前記レンズ保持筒の内径側には開口溝と爪部が設けられ、
前記保護カバーにはスナップフィット部が一体的に設けられ、前記スナップフィット部を前記開口溝に挿入した後、前記爪部に当接させることで前記レンズ保持筒に保護カバーを固定し、
前記固定筒には、前記スナップフィット部が前記保護カバーへの組込時に変形する領域において径方向でオーバーラップするように構成されたカバー脱落防止部が設けられ、前記カバー脱落防止部は前記開口溝に挿入されていることを特徴とする撮影レンズ鏡筒。
【請求項２】
前記レンズ保持筒と前記固定筒との間にはカム筒が嵌合保持され、前記固定筒の前方には鍔部が設けられ、前記鍔部と同一平面上にレンズ保持筒を直進保持するレンズ直進部が設けられ、前記鍔部には前記スナップフィット部が侵入する凹形状のスナップフィット退避溝が設けられ、カバー脱落防止部が、前記スナップフィット退避溝から軸方向に突出していることを特徴とする請求項１に記載の撮影レンズ鏡筒。
【請求項３】
前記固定筒の前記カバー脱落防止部の内径側に異物侵入防止溝が設けられていることを特徴とする請求項１または２に記載の撮影レンズ鏡筒。
【請求項４】
前記レンズの外周に押圧部が設けられ、前記スナップフィット部が内径側にたわんだときには、内径側から押圧することを特徴とする請求項１乃至３のいずれか１項に記載の撮影レンズ鏡筒。
【請求項５】
請求項１乃至４のいずれか１項に記載の撮影レンズ鏡筒を備えることを特徴とする撮影装置。
【発明の詳細な説明】
【技術分野】
【０００１】
本発明は、デジタルカメラに備えられた撮影レンズ鏡筒及び撮影レンズ鏡筒を有する撮影装置に関する。
【背景技術】
【０００２】
写真撮影をする道具としてデジタルカメラが多く使用されている。デジタルカメラには光学レンズを有する撮影レンズ鏡筒が具備されており、撮影レンズ鏡筒にはズーム機構を有するものが多くある。ズーム機構により光学レンズが光軸方向に移動し、広角から望遠領域まで画像を変化させて撮影することができる。
【０００３】
撮影レンズ鏡筒に具備されるレンズを光軸方向に動作させるためには、複数のレンズ群を光軸方向に回転しないように保持しながら移動させることが必要となる。そのための構成の一つとして、直進溝を具備する固定筒の外周にカム溝を具備するカム筒を設置し、レンズ群を直進溝に直進ガイドさせながらカム溝に追従させることにより、カム筒を回転させることでレンズ群を光軸に移動させるという方法がある。
【０００４】
しかしながら、ユーザーが不用意にカメラを落としたり、衝撃を与えたりするとカメラの内部や外部の部品が外れ、カメラの機能を損なうことになる。特に、電源がＯＦＦの時にカメラを持ち歩くことが多く、このときに衝撃が加わるケースが発生しやすい。
【０００５】
従って、衝撃に対して容易に壊れない工夫が必要となる。このような課題に対し、以下のように様々な提案がなされている。
【０００６】
上述の課題に対応するため、特許文献１に記載のカム筒とレンズ群との構成では、１群レンズ保持筒の内側にシャッタ群を配置し、衝撃が加わっても１群レンズ保持筒が内部にたわまないようにしている。
【０００７】
また、特許文献２ではカム筒内周にリブを配置し、衝撃を受けた時はこのリブで他の群の筒を保持して破壊を防止するようにしている。
【先行技術文献】
【特許文献】
【０００８】
【特許文献１】特開２０１０−１６４６９５号公報
【特許文献２】特開２００５−１８２０８９号公報
【発明の概要】
【発明が解決しようとする課題】
【０００９】
特許文献１に開示の構成では内部のシャッタに力が強く掛ることになり、シャッタの破壊が懸念される。また、特許文献２ではカム筒の破壊は防止できるが、外部部品に対しては対応ができていない。
【００１０】
一方で、近年カメラの小型化が進んでいる。従って、小型で、かつ外部からの衝撃に強い撮影レンズ鏡筒が求められている。
【００１１】
従って、本発明の目的は、収納時に不用意な衝撃が撮影レンズ鏡筒に加わった場合でも、内外の部品が容易に外れることがなく、組み込み作業に支障がなく、作動上も問題のない撮影レンズ鏡筒を提供することである。
【課題を解決するための手段】
【００１２】
上記課題を解決するため、本発明の撮影レンズ鏡筒は、
レンズと、
前記レンズを保持するレンズ保持筒と、
前記レンズを保護する保護カバーと、
前記レンズ保持筒の径方向の内方に配置され、前記レンズ保持筒を直進ガイドする固定筒と、を具備する撮影レンズ鏡筒であって、
前記レンズ保持筒の内径側には開口溝と爪部が設けられ、
前記保護カバーにはスナップフィット部が一体的に設けられ、前記スナップフィット部を前記開口溝に挿入した後、前記爪部に当接させることで前記レンズ保持筒に保護カバーを固定し、
前記固定筒には、前記スナップフィット部が前記保護カバーへの組込時に変形する領域において径方向でオーバーラップするように構成されたカバー脱落防止部が設けられ、前記カバー脱落防止部は前記開口溝に挿入されていることを特徴としている。
【００１３】
上記課題を解決するため、本発明の撮影装置は、
レンズと、
前記レンズを保持するレンズ保持筒と、
前記レンズを保護する保護カバーと、
前記レンズ保持筒の径方向の内方に配置され、前記レンズ保持筒を直進ガイドする固定筒と、を具備する撮影レンズ鏡筒であって、
前記レンズ保持筒の内径側には開口溝と爪部が設けられ、
前記保護カバーにはスナップフィット部が一体的に設けられ、前記スナップフィット部を前記開口溝に挿入した後、前記爪部に当接させることで前記レンズ保持筒に保護カバーを固定し、
前記固定筒には、前記スナップフィット部が前記保護カバーへの組込時に変形する領域において径方向でオーバーラップするように構成されたカバー脱落防止部が設けられ、前記カバー脱落防止部は前記開口溝に挿入されている撮影レンズ鏡筒を有することを特徴としている。
【発明の効果】
【００１４】
本発明によれば、収納時に不用意な衝撃が撮影レンズ鏡筒に加わった場合でも、内外の部品が容易に外れることがなく、組み込み作業に支障がなく、作動上も問題のない撮影レンズ鏡筒を提供することができる。
【図面の簡単な説明】
【００１５】
【図１】本発明の一実施例における撮影レンズ鏡筒の内部構成を示す断面図である。
【図２ａ】本発明の一実施例における撮影レンズ鏡筒の電源ＯＦＦ時の断面図である。
【図２ｂ】本発明の一実施例における撮影レンズ鏡筒の電源ＯＮ時の断面図である。
【図３】本発明の一実施例における撮影レンズ鏡筒の構成を示す分解斜視図である。
【図４】本発明の一実施例における撮影レンズ鏡筒の構成を示す分解斜視図である。
【図５ａ】本発明の一実施例における撮影レンズ鏡筒を有する撮影装置の正面斜視図である。
【図５ｂ】本発明の一実施例における撮影レンズ鏡筒を有する撮影装置の背面図である。
【図６】本発明の一実施例における撮影レンズ鏡筒を有する撮影装置であるデジタルカメラの構成を示すブロック図である。
【発明を実施するための形態】
【００１６】
以下に、本発明の一実施例を、添付の図面に基づいて詳細に説明する。尚、図面において同一部分は同一符号で示してある。また、以下説明する実施例は、本発明を例示するものであり、限定するものでないことは言うまでもない。
【００１７】
(実施例）
図１は、本発明の一実施例における撮影レンズ鏡筒の内部構成を示す断面図である。図２ａは、本発明の一実施例における撮影レンズ鏡筒の電源ＯＦＦ時（収納時）の断面図であり、図２ｂは、本発明の一実施例における撮影レンズ鏡筒の電源ＯＮ時（繰出し時）の断面図である。図２ａは、撮影レンズ鏡筒の収納状態を示し、図２ｂは、撮影レンズ鏡筒の繰り出し状態を示している。
【００１８】
撮影レンズ鏡筒５０は、後述する撮影装置であるデジタルカメラ２３に備えられている。撮影レンズ鏡筒５０は、撮影レンズの一つであるレンズ（第１レンズ）１と、レンズ１を保持するレンズ群保持部材２を備えている。レンズ群保持部材２は筒状のレンズ保持筒４に保持されている。
【００１９】
撮影レンズ鏡筒５０は、さらにレンズ群保持部材２の前方に配置され、レンズ１を保護する保護カバー３と、レンズ保持筒４の径方向の内方に配置され、レンズ保持筒４を直進ガイドする固定筒１３とを具備している。
【００２０】
レンズ保持筒４は、その内部で軸方向に延在する開口溝４ａと、爪部４ｂとを備えている。保護カバー３にはスナップフィット部３ａが一体的に設けられ、スナップフィット部３ａを開口溝４ａに挿入した後、爪部４ｂに当接させることでレンズ保持筒４に保護カバー３を固定する。スナップフィット部３ａは、保護カバー３と一体成形するか、別部材として保護カバー３に一体的に固定するか、いずれも可能である。
【００２１】
固定筒１３には、スナップフィット部３ａが保護カバー３への組込時に変形する領域において径方向でオーバーラップするように構成されたカバー脱落防止部１３ａが具備され、カバー脱落防止部１３ａは開口溝４ａに挿入されている。
【００２２】
図２ａに示すように、レンズ保持筒４の内周側には第２レンズ５を保持する第２レンズ保持部材６が配置されている。第２レンズ５は、レンズ１に対して光軸方向でカメラ本体側に配置されている。
【００２３】
第２レンズ５の光軸方向（レンズ保持筒４の軸方向）の背後には、シャッタ７ａ及び絞り７ｂが一体で構成されている絞りシャッタ部材７が配置されている。絞りシャッタ部材７の背後には第３レンズ８が保持されている第３レンズ保持部材９が配置されている。さらに、第３レンズ保持部材９の背後には第４レンズ１０が保持されている第４レンズ保持部材１０ａが配置されている。レンズ保持筒４の光軸方向で第４レンズ１０のカメラ本体寄りには、フォーカスレンズ１１を保持するフォーカスレンズ保持部材１１ａが配置されている。
【００２４】
固定筒１３の外周にカム筒１２が保持されており、光軸方向で最もカメラ本体寄りには撮像素子１５を具備する撮像素子保持部材１４が保持されている。また、フォーカス駆動手段１６は撮像素子保持部材１４の前方に固定されている。フォーカス駆動手段１６はモータであり、スクリュー１６ａが具備されており、フォーカスレンズ保持部材１１ａが追従できるようになっている。この構成によりフォーカスレンズ１１が光軸方向において前後に移動でき、カメラ全体のピントを合わせることができる。
【００２５】
カム筒１２の外周にはカム溝１２ａが設けられ、レンズ保持筒４が追従するようになっている。また、カム筒１２の内周には複数のカム溝１２ｂが設けられ、第２レンズ保持部材６、絞りシャッタ部材７、第３レンズ保持部材９、第４レンズ保持部材１０ａが追従するようになっている。
【００２６】
固定筒１３により第２レンズ保持部材６が直進ガイドされる。また、不図示のガイドバー手段が固定筒１３に取り付けられており、このガイドバー手段によって絞りシャッタ部材７、第３レンズ保持部材９、第４レンズ保持部材１０ａが直進ガイドされる。
【００２７】
固定筒１３の先端付近にレンズ直進部１３ｄ（図４参照）が具備され、レンズ保持筒４の内周に具備される開口溝４ａに嵌合している。これによりレンズ保持筒４は直進ガイドされる。
【００２８】
図３は、本発明の一実施例における撮影レンズ鏡筒の構成を示す分解斜視図であり、１群全体の構成の分解斜視図を示している。また、図４は、本発明の一実施例における撮影レンズ鏡筒の構成を示す分解斜視図であり、固定筒１３と保護カバー３との関係を示している。
【００２９】
図３に示すように、円筒形状のレンズ保持筒４の内部には開口が画成されている。レンズ１はレンズ群保持部材２に熱カシメや接着により固定されている。レンズ保持筒４に対しレンズ群保持部材２がビスにより固定保持されている。
【００３０】
円環状のレンズ群保持部材２の前方には保護カバー３が配置されている。保護カバー３には３個のスナップフィット部３ａが形成されている。レンズ保持筒４には円周方向等配に３つの開口溝４ａが設けられており、スナップフィット部３ａが挿入される。開口溝４ａの底部には爪部４ｂが具備されており、スナップフィット部３ａが爪部４ｂに係止されることにより保護カバー３がレンズ保持筒４に固定される。開口溝４ａは、所定の径方向幅と軸方向長さを備えている。
【００３１】
レンズ保持筒４と固定筒１３との間にはカム筒１２が嵌合保持され、固定筒１３の前方には鍔部１３ｅが設けられている。鍔部１３ｅと同一平面上にレンズ保持筒４を直進保持するレンズ直進部１３ｄが設けられている。鍔部１３ｅにはスナップフィット部３ａが侵入する凹形状のスナップフィット退避溝１３ｃが設けられ、カバー脱落防止部１３ａが、スナップフィット退避溝１３ｃから軸方向に突出している。
【００３２】
鍔部１３ｅは固定筒１３の強度を向上させる補強部材の機能を有する。
【００３３】
撮影レンズ鏡筒５０のズーム動作において、固定筒１３とカム筒１２は光軸方向に移動しない。図２ａに示すように、収納時にはレンズ保持筒４と固定筒１３は最も接近した状態になる。図４に示すように、固定筒１３の鍔部１３ｅにはスナップフィット部３ａに対応する位相に、３カ所の凹形状であるスナップフィット退避溝１３ｃが設けられている。撮影レンズ鏡筒５０の収納時にはスナップフィット部３ａがスナップフィット退避溝１３ｃに侵入し、スナップフィット部３ａの背面を保持することで、スナップフィット部３ａの脱落を防いでいる。
【００３４】
固定筒１３にはスナップフィット退避溝１３ｃから軸方向に突出した形状であるカバー脱落防止部１３ａが具備されている。カバー脱落防止部１３ａは収納時にはレンズ保持筒４に具備される開口溝４ａの内部に侵入するようになっている。収納時に、撮影レンズ鏡筒５０の前方より強い衝撃が加わったときにスナップフィット部３ａが組込時と同じように内側（内径側）に変形し爪部４ｂより外れようとする。ここで、変形する領域において径方向でオーバーラップするように構成されたカバー脱落防止部１３ａが配置されている。このため、スナップフィット部３ａの変形をカバー脱落防止部１３ａが妨げるため、組込時と同じようには変形できずスナップフィット部３ａは外れない。
【００３５】
図３に示すように、レンズ１はレンズ群保持部材２に保持されているが、レンズ１の外周のレンズ群保持部材２に押圧部２ａが設けられている。保護カバー３をレンズ保持筒４に組み込んだとき、スナップフィット部３ａを内径側からこの押圧部２ａによって脱落しないように、スナップフィット部３ａが内径方向にたわんだときに押圧保持することで保護カバー３が外れにくくなるようにしている。
【００３６】
レンズ保持筒４には開口である開口溝４ａが設けてあるため、撮影レンズ鏡筒５０の前方から砂やごみなどの異物が侵入してくる恐れがある。しかし、カバー脱落防止部１３ａが開口溝４ａの開口の大部分を塞いでいるので、異物の侵入を最小限に抑えることができる。
【００３７】
さらに、固定筒１３にはカバー脱落防止部１３ａの内径側に、異物侵入防止溝１３ｂが設けられている。このため、異物が内部に侵入したとしても異物侵入防止溝１３ｂに異物が入ることで、撮影レンズ鏡筒５０の有効光線内部に異物が侵入する可能性を低くすることができる。
【００３８】
以上の構成をとることで、撮影レンズ鏡筒５０に組み込まれる保護カバー３が外部からの衝撃で容易に脱落することを防止でき、さらに異物の侵入を防ぐことができる。
【００３９】
図５ａ、図５ｂには、本実施例に係る撮影レンズ鏡筒を有する撮像装置（撮影装置）としてデジタルカメラ２３が示されている。本実施例で示すデジタルカメラ２３は撮影倍率を変更できるズーム機構を有するカメラである。
【００４０】
図５ａは、本発明の一実施例における撮影レンズ鏡筒を有する撮影装置の正面斜視図である。また、図５ｂは、本発明の一実施例における撮影レンズ鏡筒を有する撮影装置の背面図である。更に、図６は、本発明の一実施例における撮影レンズ鏡筒を有する撮影装置であるデジタルカメラの構成を示すブロック図である。
【００４１】
図５ａに示すように、撮影装置であるデジタルカメラ２３は、被写体の構図を決めるファインダ２１、測光測距を行う場合の光源の補助を行う補助光２０、ストロボ２２、撮影レンズ鏡筒５０を備えている。
【００４２】
デジタルカメラ２３の筐体の上部にはレリーズボタン１７、ズーム切換スイッチ１８、電源切り換えボタン１９が配置されている。また、図５ｂに示すように、デジタルカメラ２３の筐体の背面には操作ボタン２６，２７，２８，２９，３０，３１が配置され様々な機能切換えを行うことができる。更に、ＬＣＤより成るディスプレイ（液晶手段）２５、ファインダ接眼部２４が配置されている。
【００４３】
以下、図６を参照して、デジタルカメラの構成を説明する。ディスプレイ２５は画像表示手段であり、メモリ３８に保存された画像データやメモリーカードから読み込んだ画像データを画面上に表示する。制御部はＣＰＵ４４、ＲＯＭ４３、ＲＡＭ４５で構成され、バス４２を介してレリーズボタン１７、操作ボタン２６〜３１、ディスプレイ２５、ズーム切換スイッチ１８、電源切り換えボタン１９に接続されている。制御部は更に、バス４２を介してメモリ３８、圧縮伸張部３９、メモリーカードドライブ４０、駆動回路４１に接続されている。
【００４４】
バス４２を介して制御部と接続する駆動回路４１には、ズーム機構３２、フォーカス駆動機構１６、シャッタ駆動機構３３、絞り駆動機構３４、ＣＣＤやＣＭＯＳである撮像素子１５、ストロボ２２が接続されている。駆動回路４１は、制御部からの信号により各々の機能要素の駆動を制御する。
【００４５】
ＲＯＭ４３には上述の各機能構成要素を制御するプログラムが記憶されている。ＲＡＭ４５には各制御プログラムに必要なデータが記憶されている。
【００４６】
アナログ信号処理部３５では、撮像素子１５によって取り込まれた画像データにアナログ処理を施し、Ａ／Ｄ変換部３６に出力する。Ａ／Ｄ変換部３６では取り込まれたアナログデータをデジタルデータに変換する。このデジタルデータをデジタル信号処理部３７に出力し、ここでデジタルデータの処理を行う。最終的にデジタルデータはメモリ３８に記憶される。
【００４７】
メモリ３８に記憶された画像データやメモリーカードドライブ４０に記憶されている画像データを圧縮伸張部３９によって伸張処理を行い、その画像データを、バス４２を介してディスプレイ２５に表示させることができる。このディスプレイ２５上のデータを使用者が見て、その画像が不必要であると判断すると使用者は操作ボタン２６の操作によって消去することができる。
【００４８】
以上、本発明の好ましい実施形態について説明したが、本発明はこれらの実施形態に限定されず、その要旨の範囲内で種々の変形及び変更が可能である。
【産業上の利用可能性】
【００４９】
本発明は各種撮影装置に利用できる。
【符号の説明】
【００５０】
１      レンズ
２      レンズ群保持部材
２ａ    押圧部
３      保護カバー
３ａ    スナップフィット部
４      レンズ保持筒
４ａ    開口溝
４ｂ    爪部
１２    カム筒
１３    固定筒
１３ａ  カバー脱落防止部
１３ｂ  異物侵入防止溝
１３ｃ  スナップフィット退避溝
１３ｅ  鍔部
２３    デジタルカメラ（撮影装置）
５０    撮影レンズ鏡筒
【図１】
2016114868.tif 000003
【図２ａ】
2016114868.tif 000004
【図２ｂ】
2016114868.tif 000005
【図３】
2016114868.tif 000006
【図４】
2016114868.tif 000007
【図５ａ】
2016114868.tif 000008
【図５ｂ】
2016114868.tif 000009
【図６】
2016114868.tif 000010